(57)【要約】【課題】シートを縦横方向に正確に裁断できるシート裁断装置を提供する。【解決手段】シートの搬送方向を９０°転換させる方向転換部Ｂに、回転運動するエンドレスチェイン３に固定されて第１の搬送方向Ｘに沿って運動するシート案内ユニット４を備え、第１の裁断部Ａから第１の搬送方向に排出された、裁断されたシートＳの各短冊状部分Ｐの前端部をシート案内ユニットによって把持して、プレート１、１’上をストッパー部材に向けて搬送し、ストッパー部材の手前において、把持を解除すると同時に、各短冊状部分の前端部を上からプレートに押しつけつつ各短冊状部分をスライドさせて、各短冊状部分の前端縁をストッパー部材に当接させる。さらに、停止させた各短冊状部分をサクションベルト１１によって第２の搬送方向Ｙに第２の裁断部Ｃに向けて吸着搬送する。【選択図】図１
2014079839.tif 000002
【特許請求の範囲】
【請求項１】
シートを第１の搬送方向に搬送しつつ、前記第１の搬送方向に沿って短冊状に裁断する第１の裁断部と、
前記第１の裁断部から前記短冊状に裁断されたシートを受け取り、前記第１の搬送方向に直角な第２の搬送方向に送り出す方向転換部と、
前記方向転換部から前記短冊状に裁断されたシートを受け取り、前記第２の搬送方向に搬送しつつ、前記第２の搬送方向に沿って裁断する第２の裁断部と、を備えたシート裁断装置において、
前記方向転換部が、
フレームと、
前記フレームに取り付けられ、前記第１の裁断部から受け取った前記短冊状に裁断されたシートの下面を支持する矩形または正方形のプレートと、を備え、
前記プレートの一辺が前記第１の搬送方向に直角に位置して前記第１の裁断ユニットのシート出口に対向する一方、前記プレートの前記一辺と直角をなす他辺が前記第２の裁断ユニットのシート入口に対向しており、さらに、
前記プレート上における前記一辺から第１の搬送方向に間隔をあけた位置に突設されて前記第２の搬送方向にのび、前記短冊状に裁断されたシートの前端縁が当接するストッパー部材と、
前記プレートの上方において、前記プレートの前記一辺側および前記ストッパー部材側に配置され、それぞれ、前記第２の搬送方向にのびるとともに、前記フレームに軸まわりに回転可能に取り付けられた水平な一対の回転軸と、
前記フレームに取り付けられ、一方の前記回転軸を回転させる駆動機構と、
前記一対の回転軸間にスプロケットホイールを介して掛け渡されて互いに前記第２の搬送方向に間隔をあけて配置され、前記プレートの上方において前記プレートに垂直な面内で回転運動する複数のエンドレスチェインと、を備え、
前記エンドレスチェインは、下側の直線状軌道において前記第１の搬送方向に沿って前記プレートの前記一辺側から前記ストッパー部材側に向けて運動するようになっており、さらに、
前記複数のエンドレスチェインのそれぞれに固定されて前記第２の搬送方向にのび、前記エンドレスチェインの前記下側の直線状軌道に沿って前記プレート上を移動する間に、前記プレートの前記一辺側において、前記第１の裁断部から排出された前記短冊状に裁断されたシートの各短冊状部分の前端部を把持し、その後、前記ストッパー部材の手前において、当該把持を解除するとともに、前記各短冊状部分の前端部を上から前記プレートに押しつけつつ前記各短冊状部分をスライドさせて、前記各短冊状部分の前端縁を前記ストッパー部材に当接させるシート案内ユニットと、
前記プレートの下側において前記フレームに取り付けられ、前記第２の搬送方向にのびるとともに、前記プレートに垂直な面内で回転運動する少なくとも１つのサクションベルトと、を備え、
前記プレートは前記第２の搬送方向にのびる少なくとも１つの間隙を有し、前記サクションベルトの上側の搬送面が前記プレートの前記間隙から露出しており、前記ストッパー部材に当接した前記各短冊状部分が、前記サクションベルトによって前記第２の裁断部に吸着搬送されるものであることを特徴とするシート裁断装置。
【請求項２】
前記シート案内ユニットは、
前記エンドレスチェインのそれぞれに固定されて前記第２の搬送方向にのびるユニットフレームと、
前記ユニットフレームの移動方向先端側において、前記ユニットフレームに取り付けられた固定エレメントと、を備え、前記固定エレメントは、前記第２の搬送方向に沿って少なくとも前記短冊状に裁断されたシートの幅に相当する長さのび、かつ前記シート案内ユニットが前記エンドレスチェインの前記下側の直線状軌道に沿って移動するとき前記プレートに対向する面を有しており、さらに、
前記ユニットフレームに取り付けられ、前記固定エレメントの前記面に当接する把持位置と、前記対向する面から離間した把持解除位置との間で運動可能とされた１つまたは複数の可動エレメントと、
前記ユニットフレームの移動方向後端側において、前記第２の搬送方向にのび、前記ユニットフレームに軸まわりに回転可能に取り付けられた水平な旋回軸と、
前記旋回軸にこれと一体に回転するように設けられ、前記旋回軸から半径方向にのびる可撓性を有する１つまたは複数の押さえ板と、を備え、
前記押さえ板は、前記シート案内ユニットが前記エンドレスチェインの前記下側の直線状軌道に沿って移動するとき、前記旋回軸の回動に伴い、前記固定エレメントの前記面よりも上方に跳ね上がった退避位置と、前記退避位置から下向きに前記ユニットフレームの移動方向先端側に向けて旋回し、その先端部を前記プレートに押し付ける押さえ位置との間で旋回運動可能になっており、さらに、
前記可動エレメントと前記旋回軸を連動させる連動駆動機構を備え、
前記シート案内ユニットが前記エンドレスチェインの前記下側の直線状軌道に沿って移動する間に、前記プレートの前記一辺側において、前記押さえ板が前記退避位置をとる一方、前記可動エレメントが前記把持解除位置から前記把持位置まで運動することによって前記固定エレメントとの間に前記各短冊状部分の前端部を把持し、その後、前記ストッパー部材の手前において、前記可動エレメントが前記把持位置から前記把持解除位置まで運動すると同時に、前記押さえ板が前記退避位置から前記押さえ位置まで運動することによって前記各短冊状部分の前端部を前記プレートに押し付けることを特徴とする請求項１に記載のシート裁断装置。
【発明の詳細な説明】
【技術分野】
【０００１】
本発明は、シート裁断装置、特に、シートを縦横方向に裁断する裁断装置に関するものである。
【背景技術】
【０００２】
従来のこの種のシート裁断装置として、シートを第１の搬送方向に搬送しつつ、第１の搬送方向に沿って短冊状に裁断する第１の裁断部と、第１の裁断部から短冊状に裁断されたシートを受け取り、第１の搬送方向に直角な第２の搬送方向に送り出す方向転換部と、方向転換部から短冊状に裁断されたシートを受け取り、第２の搬送方向に搬送しつつ、第２の搬送方向に沿って裁断する第２の裁断部を備えたものがある（例えば、特許文献１参照）。
【０００３】
特許文献１に記載のシート裁断装置においては、方向転換部の構成が不明であるが、シートの搬送方向を９０°転換させるには、搬送されるシートを一旦停止させた後、前の搬送方向に直角な方向に搬送する必要がある。
【０００４】
ところで、搬送されるシートの停止は、通常、シートの搬送路上に、搬送方向に直交してのびるストッパー部材を配置し、シートの前端縁をこのストッパー部材に当接させることによってなされており（例えば、特許文献２参照）、単体のシートについては、ストッパー部材によって正確に位置決めした状態で停止させることは比較的容易である。
【０００５】
しかしながら、特許文献１に記載のようなシート裁断装置においては、ストッパー部材によって停止させるのは、単体のシートではなく、搬送方向に沿って短冊状に裁断されたシートであり、この場合、第１の裁断部から送り出された後ストッパー部材に到達するまでの間に隣接する短冊状のシート部分が部分的に重なり合い、あるいは、シート部分のうちの１つまたは複数がストッパー部材に対してずれた状態で停止し易く、各シート部分をストッパー部材によって正確に位置合わせすること（各シート部分を縦横方向に揃った状態で停止させること）が難しかった。
【０００６】
そして、各シート部分が正確に位置合わせされていない状態で方向転換部から第２の裁断部に受け渡され、第２の裁断部での裁断時にシート部分の１つまたは複数がその長手方向に対し斜めに裁断され、シートを正確に縦横方向に裁断できないという問題がしばしば生じていた。
【先行技術文献】
【特許文献】
【０００７】
【特許文献１】特開２００６−３０５４５号公報
【特許文献２】特開平９−２９２６９１号公報
【発明の概要】
【発明が解決しようとする課題】
【０００８】
したがって、本発明の課題は、シートを縦横方向に正確に裁断できるシート裁断装置を提供することにある。
【課題を解決するための手段】
【０００９】
上記課題を解決するため、本発明は、シートを第１の搬送方向に搬送しつつ、前記第１の搬送方向に沿って短冊状に裁断する第１の裁断部と、前記第１の裁断部から前記短冊状に裁断されたシートを受け取り、前記第１の搬送方向に直角な第２の搬送方向に送り出す方向転換部と、前記方向転換部から前記短冊状に裁断されたシートを受け取り、前記第２の搬送方向に搬送しつつ、前記第２の搬送方向に沿って裁断する第２の裁断部と、を備えたシート裁断装置において、前記方向転換部が、フレームと、前記フレームに取り付けられ、前記第１の裁断部から受け取った前記短冊状に裁断されたシートの下面を支持する矩形または正方形のプレートと、を備え、前記プレートの一辺が前記第１の搬送方向に直角に位置して前記第１の裁断ユニットのシート出口に対向する一方、前記プレートの前記一辺と直角をなす他辺が前記第２の裁断ユニットのシート入口に対向しており、さらに、前記プレート上における前記一辺から前記第１の搬送方向に間隔をあけた位置に突設されて前記第２の搬送方向にのび、前記プレートの上面から突出し、前記短冊状に裁断されたシートの前端縁が当接するストッパー部材と、前記プレートの上方において、前記プレートの前記一辺側および前記ストッパー部材側に配置され、それぞれ、前記第２の搬送方向にのびるとともに、前記フレームに軸まわりに回転可能に取り付けられた水平な一対の回転軸と、前記フレームに取り付けられ、一方の前記回転軸を回転させる駆動機構と、前記一対の回転軸間にスプロケットホイールを介して掛け渡されて互いに前記第２の搬送方向に間隔をあけて配置され、前記プレートの上方において前記プレートに垂直な面内で回転運動する複数のエンドレスチェインと、を備え、前記エンドレスチェインは、下側の直線状軌道において前記第１の搬送方向に沿って前記プレートの前記一辺側から前記ストッパー部材側に向けて運動するようになっており、さらに、前記複数のエンドレスチェインのそれぞれに固定されて前記第２の搬送方向にのび、前記エンドレスチェインの前記下側の直線状軌道に沿って前記プレート上を移動する間に、前記プレートの前記一辺側において、前記第１の裁断部から排出された前記短冊状に裁断されたシートの各短冊状部分の前端部を把持し、その後、前記ストッパー部材の手前において、当該把持を解除するとともに、前記各短冊状部分の前端部を上から前記プレートに押しつけつつ前記各短冊状部分をスライドさせて、前記各短冊状部分の前端縁を前記ストッパー部材に当接させるシート案内ユニットと、前記プレートの下側において前記フレームに取り付けられ、前記第２の搬送方向にのびるとともに、前記プレートに垂直な面内で回転運動する少なくとも１つのサクションベルトと、を備え、前記プレートは前記第２の搬送方向にのびる少なくとも１つの間隙を有し、前記サクションベルトの上側の搬送面が前記プレートの前記間隙から露出しており、前記ストッパー部材に当接した前記各短冊状部分が、前記サクションベルトによって前記第２の裁断部に吸着搬送されるものであることを特徴とするシート裁断装置を構成したものである。
【００１０】
上記構成において、好ましくは、前記シート案内ユニットは、前記エンドレスチェインのそれぞれに固定されて前記第２の搬送方向にのびるユニットフレームと、前記ユニットフレームの移動方向先端側において、前記ユニットフレームに取り付けられた固定エレメントと、を備え、前記固定エレメントは、前記第２の搬送方向に沿って少なくとも前記短冊状に裁断されたシートの幅に相当する長さのび、かつ前記シート案内ユニットが前記エンドレスチェインの前記下側の直線状軌道に沿って移動するとき前記プレートに対向する面を有しており、さらに、前記ユニットフレームに取り付けられ、前記固定エレメントの前記面に当接する把持位置と、前記対向する面から離間した把持解除位置との間で運動可能とされた１つまたは複数の可動エレメントと、前記ユニットフレームの移動方向後端側において、前記第２の搬送方向にのび、前記ユニットフレームに軸まわりに回転可能に取り付けられた水平な旋回軸と、前記旋回軸にこれと一体に回転するように設けられ、前記旋回軸から半径方向にのびる可撓性を有する１つまたは複数の押さえ板と、を備え、前記押さえ板は、前記シート案内ユニットが前記エンドレスチェインの前記下側の直線状軌道に沿って移動するとき、前記旋回軸の回動に伴い、前記固定エレメントの前記面よりも上方に跳ね上がった退避位置と、前記退避位置から下向きに前記ユニットフレームの移動方向先端側に向けて旋回し、その先端部を前記プレートに押し付ける押さえ位置との間で旋回運動可能になっており、さらに、前記可動エレメントと前記旋回軸を連動させる連動駆動機構を備え、前記シート案内ユニットが前記エンドレスチェインの前記下側の直線状軌道に沿って移動する間に、前記プレートの前記一辺側において、前記押さえ板が前記退避位置をとる一方、前記可動エレメントが前記把持解除位置から前記把持位置まで運動することによって前記固定エレメントとの間に前記各短冊状部分の前端部を把持し、その後、前記ストッパー部材の手前において、前記可動エレメントが前記把持位置から前記把持解除位置まで運動すると同時に、前記押さえ板が前記退避位置から前記押さえ位置まで運動することによって前記各短冊状部分の前端部を前記プレートに押し付けるようになっている。
【発明の効果】
【００１１】
本発明によれば、シートの搬送方向を９０°転換させる方向転換部に、回転運動するエンドレスチェインに固定されて第１の搬送方向に沿って運動するシート案内ユニットを備え、第１の裁断部から第１の搬送方向に排出された、裁断されたシートの各短冊状部分の前端部をシート案内ユニットによって把持して、プレート上をストッパー部材に向けて搬送し、ストッパー部材の手前において、把持を解除すると同時に、各短冊状部分の前端部を上からプレートに押しつけつつ各短冊状部分をスライドさせて、各短冊状部分の前端縁をストッパー部材に当接させるようにしたので、各短冊状部分を正確に揃えた状態で一旦停止させることができる。さらに、停止させた各短冊状部分を、サクションベルトによって第２の搬送方向に第２の裁断部に向けて吸着搬送する。それによって、シートを縦横方向に正確に裁断することができる。
【図面の簡単な説明】
【００１２】
【図１】本発明の１実施例によるシート裁断装置の概略的な平面図である。
【図２】図１に示したシート裁断装置の方向転換部の動作を示す概略的な側面図である。
【図３】図１に示したシート裁断装置の方向転換部の動作を示す概略的な側面図である。
【図４】図１に示したシート裁断装置の方向転換部の概略的な斜視図である。
【図５】図１に示したシート裁断装置の方向転換部の概略的な斜視図である。
【図６】図２および図３に示した方向転換部のシート案内ユニットの拡大側面図である。
【図７】図２および図３に示した方向転換部のシート案内ユニットの拡大側面図である。
【図８】図２および図３に示した方向転換部のシート案内ユニットの拡大側面図である。
【発明を実施するための形態】
【００１３】
以下、添付図面を参照して本発明の好ましい実施例を説明する。図１は、本発明の１実施例によるシート裁断装置の概略的な平面図であり、図２および図３は、図１に示したシート裁断装置の方向転換部の動作を示す概略的な側面図である。
【００１４】
図１に示すように、本発明によるシート裁断装置は、シートを第１の搬送方向（矢印Ｘで示す）に搬送しつつ、第１の搬送方向Ｘに沿って短冊状に裁断する第１の裁断部Ａと、第１の裁断部Ａから短冊状に裁断されたシートＳを受け取り、第１の搬送方向Ｘに直角な第２の搬送方向（矢印Ｙで示す）に送り出す方向転換部Ｂと、方向転換部Ｂから短冊状に裁断されたシートＳを受け取り、第２の搬送方向Ｙに搬送しつつ、第２の搬送方向Ｙに沿って裁断する第２の裁断部Ｃを備えている。
【００１５】
方向転換部Ｂは、フレーム（図示はされない）と、フレームに取り付けられ、第１の裁断部Ａから受け取った短冊状に裁断されたシートＳの下面を支持する矩形または正方形のプレート１、１’を備えている。そして、プレート１、１’の一辺ａが第１の搬送方向Ｘに直角に位置して第１の裁断部Ａのシート出口に対向する一方、プレート１、１’の一辺ａと直角をなす他辺ｂが第２の裁断部Ｃのシート入口に対向している。
【００１６】
図２および図３から明らかなように、この実施例では、プレート１、１’は、第１の裁断部Ａから排出される短冊状に裁断されたシートＳの高さレベルに位置する第１のプレート部分１と、第１のプレート部分１よりも少し低い高さレベルに位置する第２のプレート部分１’とから構成されている。
また、第２のプレート部分１’は、第２の搬送方向Ｙにのびる複数の間隙を有しており、これらの間隙中に、サクションベルト１１（後述する）が配置される。
【００１７】
図１〜図３を参照して、プレート１、１’上における一辺ａから第１の搬送方向に間隔をあけた位置（この実施例では、第２のプレート部分１’における第１の搬送方向奥側の辺縁部）には、ストッパー部材２が突設されて第２の搬送方向Ｙにのびている。そして、第１の裁断部Ａから受け取られた短冊状に裁断されたシートＳが、その前端縁ｅにおいてストッパー部材２に当接することにより、一旦停止するようになっている。
【００１８】
シート裁断装置は、また、プレート１、１’の上方において、プレート１、１’の一辺ａ側およびストッパー部材２側に配置され、それぞれ、第２の搬送方向Ｙにのびるとともに、フレームに軸まわりに回転可能に取り付けられた水平な一対の回転軸（図示はされない）と、フレームに取り付けられ、一方の回転軸を回転させる駆動機構（図示はされない）と、一対の回転軸間にスプロケットホイール（図示はされない）を介して掛け渡されて互いに第２の搬送方向に間隔をあけて配置され、プレート１、１’の上方において、プレート１、１’に垂直にかつ第１の搬送方向にのびる面内で回転運動する複数（この実施例では、一対）のエンドレスチェイン３を備えている。
エンドレスチェイン３は、下側の直線状軌道３ａにおいてプレート１、１’の一辺ａ側からストッパー部材２側に向けて運動するようになっている。
【００１９】
シート裁断装置は、または、複数のエンドレスチェイン３のそれぞれに固定されて第２の搬送方向Ｙにのび、エンドレスチェイン３の下側の直線状軌道３ａに沿ってプレート１、１’上を移動する間に、プレート１、１’の一辺ａ側において、第１の裁断部Ａから排出された、短冊状に裁断されたシートＳの各短冊状部分Ｐの前端部を把持し、その後、ストッパー部材２に到達する前に、当該把持を解除するとともに、各短冊状部分Ｐの前端部を上からプレート１’に押しつけつつ各短冊状部分Ｐをスライドさせて、各短冊状部分Ｐの前端縁ｅをストッパー部材２に当接させるシート案内ユニット４を備えている。
【００２０】
この実施例では、２つのシート案内ユニット４が備えられ、一方のシート案内ユニット４がエンドレスチェイン３の下側の直線状軌道３ａに沿って移動する間に、他方のシート案内ユニット４がエンドレスチェイン３の上側の直線状軌道に沿って、ストッパー部材２側からプレート１、１’の一辺ａ側に向けて運動するようになっている。この構成によれば、シートの搬送方向の転換を連続的に行うことができる。なお、処理効率は低下するが、単一のシート案内ユニット４を備えた構成とすることもできる。
【００２１】
図４および図５は方向転換部Ｂの概略的な斜視図であり、図４は、シート案内ユニット４がプレート１、１’の一辺ａ側（図２Ｂに示した位置）にあって、シートＳの各短冊状部分Ｐの前端部を把持する直前の状態を示し、図５は、シート案内ユニット４がストッパー部材２側（図３Ｂに示した位置）にあって、各短冊状部分Ｐの前端縁ｅをストッパー部材２に当接させた状態を示している。
【００２２】
また、図６〜図８は方向転換部Ｂのシート案内ユニット４の拡大側面図であり、図６は、シート案内ユニット４が図４（または図２Ｂ）に示した位置にあるときの状態を示し、図７は、シート案内ユニット４が、ストッパー部材２の手前（図３Ａに示した位置）において、各短冊状部分Ｐの把持を解除する直前の状態を示し、図８は、シート案内ユニット４が図５（または図３Ｂ）に示した位置にあるときの状態を示している。
【００２３】
図４〜図８に示すように、シート案内ユニット４は、エンドレスチェイン３のそれぞれに固定されて第２の搬送方向Ｙにのびるユニットフレーム５を有している。そして、ユニットフレーム５の移動方向先端側には、固定エレメント６が取り付けられている。
固定エレメント６は、第２の搬送方向Ｙに沿って、少なくとも短冊状に裁断されたシートの幅に相当する長さのび、かつシート案内ユニット４がエンドレスチェイン３の下側の直線状軌道３ａに沿って移動するときプレート１、１’に対向する面６ａを有している。
【００２４】
ユニットフレーム５には、また、固定エレメント６の面６ａに当接し、この面６ａとの間に各短冊状部分Ｐの前端部を把持する把持位置（図７参照）と、面６ａから離間した把持解除位置（図６および図８参照）との間で運動可能とされた１つまたは複数の可動エレメント７が取り付けられる。
可動エレメント７は、この実施例では、固定エレメント６の前方斜め上に配置されて第２の搬送方向Ｙにのび、ユニットフレーム５によって軸まわりに回転可能に支持された回転軸７ａと、回転軸７ａの軸方向に互いに間隔をあけて、回転軸７ａに対しこれと一体に回転するように固定された複数の肉厚板状の可動部分７ｂを有している。この場合、第１の裁断部Ａから排出されたシートの各短冊状部分Ｐに対し、少なくとも２つの可動部分７ｂが割り当てられるようになっている。
【００２５】
可動部分７ｂは、その下面に、ユニットフレーム５の移動方向後端側に向けて突出する平板状の爪７ｃを有している。
そして、回転軸７ａの回動に伴い、各可動部分７ｂは、爪７ｃを固定エレメント６の面６ａに当接させる把持位置（図７参照）と、把持位置から前方に回動し、爪７ｃを面６ａから離間させる把持解除位置（図６および図８参照）との間で回動可能になっている。各可動部分７ｂは、常時は、把持位置をとるように弾性付勢されている。
【００２６】
シート案内ユニット４は、また、ユニットフレーム５の移動方向後端側において、第２の搬送方向Ｙにのび、ユニットフレーム５に対し軸まわりに回転可能に取り付けられた水平な旋回軸８と、旋回軸８にこれと一体に回転するように設けられ、旋回軸８から半径方向にのびる可撓性を有する１つまたは複数の押さえ板９を備えている。
この実施例では、旋回軸８の中央部を境に、旋回軸８の一端側と他端側に各１つの押さえ板９が備えられ、軸方向にのびている。また、押さえ板９は、先端縁に、押さえ板９の幅方向に間隔をあけて複数の拡張部９ａを備え、第１の裁断部Ａから排出されるシートＳの各短冊状部分Ｐに、少なくとも１つの拡張部９ａが割り当てられるようになっている。
【００２７】
押さえ板９は、シート案内ユニット４がエンドレスチェイン３の下側の直線状軌道３ａに沿って移動するとき、旋回軸８の回動に伴い、固定エレメント６の面６ａよりも上方に跳ね上がった退避位置（図６および図７参照）と、退避位置から下向きにユニットフレーム５の移動方向先端側に向けて旋回し、その拡張部９ａにおいて各短冊状部分Ｐの前端部をプレート１’に押し付ける押さえ位置（図８参照）との間で旋回可能になっている。押さえ板９は、常時は、退避位置をとるように弾性付勢されている。
【００２８】
シート案内ユニット４は、さらに、フレームユニット５に取り付けられて、可動エレメント７の回転軸７ａと旋回軸８を連動連結する連動連結機構１０を備えている。連動連結機構１０は、フレームユニット５の長手方向両側であって、回転軸７ａおよび旋回軸８の両端に各１つ配置されており、それぞれ、カムフォロワー１３を備えている。
一方、エンドレスチェイン３の下側の直線状軌道３ａにおけるプレート１、１’の一辺ａ側の位置およびストッパー部材２の手前の位置には、シート案内ユニット４のカムフォロワー１３と係合する第１および第２の固定カム（図示はされない）が配置され、それぞれ、方向転換部Ｂのフレームに固定されている。
そして、シート案内ユニット４が、エンドレスチェイン３の下側の直線状軌道３ａに沿って移動するとき、連動連結機構１０のカムフォロワー１３が第１および第２の固定カムに衝突し、それによって、可動エレメント７と押さえ板９が連動するようになっている。
【００２９】
また、プレート１の一辺ａの上方には、シートＳの前端縁の通過を検出するシート検出センサ１２が配置され、このシート検出センサ１２からの検出信号に基づいて、エンドレスチェイン３が、第１の裁断部Ａからの短冊状に裁断されたシートＳの排出に同期して回転運動せしめられ、シートＳが第１の裁断部Ａから排出されるたびに、２つのシート案内ユニット４が交互に、シートＳの各短冊状部分Ｐの前端部を把持すべく、エンドレスチェイン３の下側の直線状軌道３ａにおけるプレート１、１’の一辺ａ側に到達するようになっている。
【００３０】
そして、シート案内ユニット４がプレート１、１の一辺ａ側に到達すると、カムフォロワー１３が第１の固定カムに衝突し、それによって、可動エレメント７の各可動部分７ｂが把持位置から把持解除位置まで回動する。この場合、図４に示すように、プレート１におけるシート案内ユニット４の各可動エレメント７の経路に対応する位置には、第１の搬送方向Ｘにのびるスリット１ａが設けられており、そして、図６から明らかなように、プレート１上をスライドしながら進入する各短冊状部分Ｐの前端部が、プレート１の上側に位置する固定エレメント６の面６ａと、プレート１の下側に位置する各可動部分７ｂの爪７ｃとの間に進入し、次いで、各可動部分７ｂが弾性付勢力によって把持解除位置から把持位置まで回動することで、各短冊状部分Ｐの前端部が固定エレメント６と可動エレメント７によって把持される。
【００３１】
その後、シート案内ユニット４は、固定エレメント６と可動エレメント７の間に各短冊状部分Ｐの前端部を把持した状態で、各短冊状部分Ｐを第１の搬送方向Ｘにストッパー部材２に向けて搬送する。
そして、図７および図８に示すように、シート案内ユニット４がストッパー部材２の手前に到達すると、カムフォロワー１１が第２の固定カムに衝突し、可動エレメント７の各可動部分７ｂが把持位置から把持解除位置まで回動すると同時に、押さえ板９が退避位置から押さえ位置まで旋回する。それによって、各短冊状部分Ｐは、シート案内ユニット４の移動に伴って、押さえ板９の拡張部９ａによってプレート１’に押し付けられながら、プレート１’上をスライド運動し、その前端縁ｅをストッパー部材２に当接させる。
【００３２】
各短冊状部分Ｐがストッパー部材２に当接した後、シート案内ユニット４は、押さえ板９の拡張部９ａにおいて、各短冊状部分Ｐの前端縁ｅをストッパー部材２に押し付けながらストッパー部材２を通過していく。それによって、一旦位置決めされた各短冊状部分Ｐが動いてしまうこともない。
なお、この場合、図５から明らかなように、ストッパー部材２における、シート案内ユニット４の固定エレメント６、可動エレメント７および押さえ板９の経路に当たる位置には、切欠き２ａが設けられ、シート案内ユニット４の運動が妨げられないようになっている。
こうして、各短冊状部分Ｐは、ストッパー部材２によって正確に位置決めされた状態で停止せしめられる。
【００３３】
上述の実施例では、可動エレメント７と旋回軸８（押さえ板９）を連動させる連動駆動機構を、カムフォロワー１３を備えた連動連結機構１０と、固定カムとから構成したが、その代わりに、可動エレメント７の回動軸７ａと旋回軸８とを連動連結する連動連結機構と、ユニットフレーム５に取り付けられ、この連動連結機構を動かす駆動源（例えば、モータ）とから構成することもできる。
【００３４】
シート裁断装置は、さらに、プレート１’に設けられた第２の搬送方向Ｙにのびる各間隙中に配置されるとともに、プレート１’の下側においてフレームに取り付けられて、プレート１’に垂直な面内で回転運動するサクションベルト１１を備えている。サクションベルト１１の上側の搬送面はプレート１’の間隙から露出しており、ストッパー部材２に当接した短冊状に裁断されたシートＳが、サクションベルト１１によって第２の裁断部Ｃに向けて吸着搬送されるようになっている。
【００３５】
本発明によれば、方向転換部Ｂに、回転運動するエンドレスチェイン３に固定されて第１の搬送方向Ｘに沿って運動するシート案内ユニット４が備えられ、シート案内ユニット４が、第１の裁断部Ａから第１の搬送方向Ｘに排出された、裁断されたシートＳの各短冊状部分Ｐの前端部を把持して、プレート１、１’上をストッパー部材２に向けて搬送し、ストッパー部材の手前において、把持を解除すると同時に、各短冊状部分Ｐの前端部を上からプレート１’に押しつけつつ各短冊状部分Ｐをスライドさせて、各短冊状部分Ｐの前端縁をストッパー部材２に当接させるので、各短冊状部分Ｐは正確に揃った状態で一旦停止せしめられる。さらに、各短冊状部分Ｐは、サクションベルト１１によって第２の搬送方向Ｙに第２の裁断部Ｃに向けて吸着搬送される。それによって、シートが縦横方向に正確に裁断される。
【符号の説明】
【００３６】
１、１’  プレート
２  ストッパー部材
３  エンドレスチェイン
３ａ  下側の直線状軌道
４  シート案内ユニット
５  ユニットフレーム
６  固定エレメント
６ａ  プレートに対向する面
７  可動エレメント
７ａ  回転軸
７ｂ  可動部分
７ｃ  爪
８  旋回軸
９  押さえ板
９ａ  拡張部
１０  連動連結機構
１１  サクションベルト
１２  シート検出センサ
１３  カムフォロワー
Ａ  第１の裁断部
Ｂ  方向転換部
Ｃ  第２の裁断部
Ｓ  短冊状に裁断されたシート
Ｐ  短冊状部分
ａ  一辺
ｂ  他辺
ｅ  前端縁
【図１】
2014079839.tif 000003
【図２】
2014079839.tif 000004
【図３】
2014079839.tif 000005
【図４】
2014079839.tif 000006
【図５】
2014079839.tif 000007
【図６】
2014079839.tif 000008
【図７】
2014079839.tif 000009
【図８】
2014079839.tif 000010